【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
記憶装置に記憶されているデータの宛先を指定し、該宛先へ前記データを送信する情報処理装置であって、
前記記憶装置に記憶されているデータの宛先を変更する変更手段と、
前記記憶装置に記憶されているデータを暗号化して送信するよう設定されているか否か判定する判定手段と、
前記判定手段で暗号化して送信するよう設定されていると判定されたデータは前記変更手段による宛先の変更を許可し、暗号化して送信するよう設定されていないと判定されたデータは前記変更手段による宛先の変更を禁止するよう制御する制御手段と
を備えることを特徴とする情報処理装置。
【請求項２】
記憶装置に記憶されているデータの宛先を指定し、該宛先へ前記データを送信する情報処理装置であって、
ユーザを認証する認証手段と、
前記記憶装置に記憶されているデータの宛先を変更する変更手段と、
前記記憶装置に記憶されているデータに関連付けられているユーザ情報が前記認証手段で認証されたユーザと一致するか否か判定する判定手段と、
前記判定手段で前記データに関連付けられているユーザ情報と前記認証手段で認証されたユーザが一致すると判定した場合、当該データの前記変更手段による宛先の変更を許可するよう制御する制御手段と
を備えることを特徴とする情報処理装置。
【請求項３】
前記制御手段は、前記判定手段で前記データに関連付けられているユーザ情報が前記認証手段で認証されたユーザと一致しないと判定された場合であっても、前記データが暗号化して送信するよう設定されている場合は、前記変更手段による宛先の変更を許可するよう制御する
ことを特徴とする請求項２に記載の情報処理装置。
【請求項４】
前記変更手段は、送信エラーとなったデータの宛先を変更する
ことを特徴とする請求項１乃至３のいずれか１項に記載の情報処理装置。
【請求項５】
記憶装置に記憶されているデータの宛先を指定し、該宛先へ前記データを送信する情報処理装置の制御方法であって、
前記記憶装置に記憶されているデータの宛先を変更する変更工程と、
前記記憶装置に記憶されているデータを暗号化して送信するよう設定されているか否か判定する判定工程と、
前記判定工程で暗号化して送信するよう設定されていると判定されたデータは前記変更工程による宛先の変更を許可し、暗号化して送信するよう設定されていないと判定されたデータは前記変更工程による宛先の変更を禁止するよう制御する制御工程と
を有することを特徴とする情報処理装置の制御方法。
【請求項６】
記憶装置に記憶されているデータの宛先を指定し、該宛先へ前記データを送信する情報処理装置の制御方法であって、
ユーザを認証する認証工程と、
前記記憶装置に記憶されているデータの宛先を変更する変更工程と、
前記記憶装置に記憶されているデータに関連付けられているユーザ情報が前記認証工程で認証されたユーザと一致するか否か判定する判定工程と、
前記判定工程で前記データに関連付けられているユーザ情報と前記認証工程で認証されたユーザが一致すると判定した場合、当該データの前記変更工程による宛先の変更を許可するよう制御する制御工程と
を有することを特徴とする情報処理装置の制御方法。
【請求項７】
請求項１乃至４のいずれか１項に記載の情報処理装置をコンピュータにより実現するためのコンピュータプログラムであって、コンピュータ可読記憶媒体に記憶されたプログラム。
【手続補正２】
【補正対象書類名】明細書
【補正対象項目名】０００８
【補正方法】変更
【補正の内容】
【０００８】
上記の目的を達成するための本発明による情報処理装置は以下の構成を備える。即ち、
記憶装置に記憶されているデータの宛先を指定し、該宛先へ前記データを送信する情報処理装置であって、
前記記憶装置に記憶されているデータの宛先を変更する変更手段と、
前記記憶装置に記憶されているデータを暗号化して送信するよう設定されているか否か判定する判定手段と、
前記判定手段で暗号化して送信するよう設定されていると判定されたデータは前記変更手段による宛先の変更を許可し、暗号化して送信するよう設定されていないと判定されたデータは前記変更手段による宛先の変更を禁止するよう制御する制御手段と
を備える。
【手続補正３】
【補正対象書類名】明細書
【補正対象項目名】０００９
【補正方法】変更
【補正の内容】
【０００９】
上記の目的を達成するための本発明による情報処理装置は以下の構成を備える。即ち、
記憶装置に記憶されているデータの宛先を指定し、該宛先へ前記データを送信する情報処理装置であって、
ユーザを認証する認証手段と、
前記記憶装置に記憶されているデータの宛先を変更する変更手段と、
前記記憶装置に記憶されているデータに関連付けられているユーザ情報が前記認証手段で認証されたユーザと一致するか否か判定する判定手段と、
前記判定手段で前記データに関連付けられているユーザ情報と前記認証手段で認証されたユーザが一致すると判定した場合、当該データの前記変更手段による宛先の変更を許可するよう制御する制御手段と
を備える。
【手続補正４】
【補正対象書類名】明細書
【補正対象項目名】００１０
【補正方法】変更
【補正の内容】
【００１０】
また、好ましくは、前記判定手段で前記データに関連付けられているユーザ情報が前記認証手段で認証されたユーザと一致しないと判定された場合であっても、前記データが暗号化して送信するよう設定されている場合は、前記変更手段による宛先の変更を許可するよう制御する。
【手続補正５】
【補正対象書類名】明細書
【補正対象項目名】００１１
【補正方法】変更
【補正の内容】
【００１１】
また、好ましくは、前記変更手段は、送信エラーとなったデータの宛先を変更する。
【手続補正６】
【補正対象書類名】明細書
【補正対象項目名】００１２
【補正方法】変更
【補正の内容】
【００１２】
上記の目的を達成するための本発明による情報処理装置の制御方法は以下の構成を備える。即ち、
記憶装置に記憶されているデータの宛先を指定し、該宛先へ前記データを送信する情報処理装置の制御方法であって、
前記記憶装置に記憶されているデータの宛先を変更する変更工程と、
前記記憶装置に記憶されているデータを暗号化して送信するよう設定されているか否か判定する判定工程と、
前記判定工程で暗号化して送信するよう設定されていると判定されたデータは前記変更工程による宛先の変更を許可し、暗号化して送信するよう設定されていないと判定されたデータは前記変更工程による宛先の変更を禁止するよう制御する制御工程と
を有する。
【手続補正７】
【補正対象書類名】明細書
【補正対象項目名】００１３
【補正方法】変更
【補正の内容】
【００１３】
上記の目的を達成するための本発明による情報処理装置の制御方法は以下の構成を備える。即ち、
記憶装置に記憶されているデータの宛先を指定し、該宛先へ前記データを送信する情報処理装置の制御方法であって、
ユーザを認証する認証工程と、
前記記憶装置に記憶されているデータの宛先を変更する変更工程と、
前記記憶装置に記憶されているデータに関連付けられているユーザ情報が前記認証工程で認証されたユーザと一致するか否か判定する判定工程と、
前記判定工程で前記データに関連付けられているユーザ情報と前記認証工程で認証されたユーザが一致すると判定した場合、当該データの前記変更工程による宛先の変更を許可するよう制御する制御工程と
を有する。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】